(57)【要約】【課題】  捕集フィルタ及び光触媒担持フィルタに捕集された細菌やウィルスを不活化し、当該紫外線を効率よく用いることができる空気清浄装置を提供する。【解決手段】  空気清浄装置１は、塵埃を捕集する捕集フィルタ５２と、捕集フィルタ５２に第１波長の紫外線ＵＶ１を照射する第１紫外線発光体６０Ａと、第１波長の紫外線ＵＶ１により光触媒能を発揮する光触媒が担持され塵埃を捕集する光触媒担持フィルタ５１と、を備え、捕集フィルタ５２は第１波長の紫外線を透過し、捕集フィルタ５２を透過する第１波長の紫外線ＵＶ１は前記光触媒担持フィルタに照射される。【選択図】    図１
2018143660.tif 000002
【特許請求の範囲】
【請求項１】
塵埃を捕集する捕集フィルタと、
前記捕集フィルタに第１波長の紫外線を照射する第１紫外線発光体と、
前記第１波長の紫外線により光触媒能を発揮する光触媒が担持され塵埃を捕集する光触媒担持フィルタと、
を備え、
前記捕集フィルタは前記第１波長の紫外線を透過し、
前記捕集フィルタを透過する前記第１波長の紫外線は前記光触媒担持フィルタに照射される
ことを特徴とする空気清浄装置。
【請求項２】
前記捕集フィルタは光透過性の材料から成る
ことを特徴とする請求項１に記載の空気清浄装置。
【請求項３】
前記捕集フィルタは不織布から成る
ことを特徴とする請求項２に記載の空気清浄装置。
【請求項４】
前記捕集フィルタと前記光触媒担持フィルタとが接して重ねられる
ことを特徴とする請求項２または３に記載の空気清浄装置。
【請求項５】
前記捕集フィルタはプラスに帯電されている
ことを特徴とする請求項１から４のいずれか１項に記載の空気清浄装置。
【請求項６】
前記光触媒担持フィルタの前記第１波長の紫外線が照射される側と反対側に前記第１波長と異なる第２波長の紫外線を照射する第２紫外線発光体を更に備え、
前記光触媒担持フィルタは、前記第１波長の紫外線が照射される側に前記第１波長の紫外線により光触媒能を発揮する光触媒を担持し、前記第２波長の紫外線が照射される側に前記第２波長の紫外線により光触媒能を発揮する光触媒を担持する
ことを特徴とする請求項１から５のいずれか１項に記載の空気清浄装置。
【請求項７】
前記第１波長及び前記第２波長における一方の波長が２５０ｎｍから２８０ｎｍとされ、他方の波長が３６０ｎｍから３８０ｎｍとされる
ことを特徴とする請求項６に記載の空気清浄装置。
【請求項８】
前記第１波長が２５０ｎｍから２８０ｎｍとされ、前記第２波長が３６０ｎｍか
ら３８０ｎｍとされる
ことを特徴とする請求項７に記載の空気清浄装置。
【請求項９】
前記光触媒担持フィルタは、前記第１波長の紫外線が照射される側にアパタイトを含有する光触媒を担持し、前記第２波長の紫外線が照射される側に酸化チタンを含有する光触媒を担持する
ことを特徴とする請求項８に記載の空気清浄装置。
【請求項１０】
空気が前記光触媒担持フィルタ側から前記捕集フィルタ側に流れる
ことを特徴とする請求項１から９のいずれか１項に記載の空気清浄装置。
【発明の詳細な説明】
【技術分野】
【０００１】
本発明は、空気清浄装置に関し、特に、細菌やウィルスの不活化を行う場合に好適なものに関する。
【背景技術】
【０００２】
フィルタが用いられる空気清浄装置では、当該フィルタに塵埃と共に細菌やウィルスが捕集される傾向がある。これら細菌やウィルスは不活化されることが好ましい。この様な細菌やウィルスの不活化のために、紫外線を用いることが知られている。
【０００３】
下記特許文献１には、このような空気清浄装置が記載されている。この空気清浄装置は、幾つかのフィルタと、紫外線発光体と、この紫外線発光体からの紫外線が照射される光触媒担持層とを備える。この光触媒担持層に捕集された細菌、ウィルスは、紫外線により光触媒能を発揮した光触媒により不活化される。
【先行技術文献】
【特許文献】
【０００４】
【特許文献１】特開２００５−３４２５０９号公報
【発明の概要】
【発明が解決しようとする課題】
【０００５】
上記特許文献１に記載の光触媒担持層は細菌やウィルスを捕集するため光触媒担持フィルタといえる。上記のように光触媒担持フィルタに捕集された細菌やウィルスは紫外線の照射により不活化されるが、細菌やウィルスは光触媒担持フィルタ以外のフィルタにも捕集される。この様な光触媒担持フィルタ以外の捕集フィルタに捕集された細菌やウィルスを紫外線により不活化したいという要請がある。この場合、紫外線発光体から出射する紫外線が効率良く用いられることが好ましい。
【０００６】
そこで、本発明は、捕集フィルタ及び光触媒担持フィルタに捕集された細菌やウィルスを不活化し、当該紫外線を効率よく用いることができる空気清浄装置を提供することを目的とする。
【課題を解決するための手段】
【０００７】
このような課題を解決するため本発明の空気清浄装置は、塵埃を捕集する捕集フィルタと、前記捕集フィルタに第１波長の紫外線を照射する第１紫外線発光体と、前記第１波長の紫外線により光触媒能を発揮する光触媒が担持され塵埃を捕集する光触媒担持フィルタと、を備え、前記捕集フィルタは前記第１波長の紫外線を透過し、前記捕集フィルタを透過する前記第１波長の紫外線は前記光触媒担持フィルタに照射されることを特徴とするものである。
【０００８】
このような空気清浄装置によれば、光触媒担持フィルタ及び捕集フィルタで塵埃を捕集することができる。この捕集した塵埃に細菌やウィルスが付着している場合や細菌やウィルスが直接捕集される場合であっても、捕集フィルタ及び光触媒担持フィルタには、第１紫外線発光体から紫外線が照射されるため、細菌やウィルスを不活化することができる。しかも、光触媒担持フィルタに照射される紫外線は、捕集フィルタを透過した紫外線である。従って、本発明の空気清浄装置によれば、第１紫外線発光体から出射する紫外線を効率良く用いることができる。
【０００９】
また、前記捕集フィルタは光透過性の材料から成ることが好ましい。
【００１０】
捕集フィルタが光透過性の材料から成ることで、紫外線は捕集フィルタの微細孔以外からも捕集フィルタを透過することができる。従って、紫外線が捕集フィルタをより透過し易くなり、より効率良く光触媒担持フィルタに紫外線を照射することができる。
【００１１】
上記のように前記捕集フィルタが光透過性の材料から成る場合、前記捕集フィルタは不織布から成ることが好ましい。
【００１２】
捕集フィルタが光透過性の不織布から成ることで、捕集フィルタで紫外線を散乱させることができる。従って、捕集フィルタの塵埃が付着した部分に照射された紫外線の透過が当該塵埃により抑制される場合であっても、捕集フィルタの他の部分に照射された紫外線が透過の際に散乱することで、光触媒担持フィルタにおける紫外線が照射されづらい部位を狭くすることができる。
【００１３】
また、上記のように前記捕集フィルタが光透過性の材料から成る場合、前記捕集フィルタと前記光触媒担持フィルタとが接して重ねられることが好ましい。
【００１４】
捕集フィルタと光触媒担持フィルタとが接している部分では、捕集フィルタと光触媒担持フィルタとが離間している部分よりも、紫外線が捕集フィルタから光触媒担持フィルタに伝搬し易くなる。従って、上記のように捕集フィルタと光触媒担持フィルタとが接して重ねられることで、捕集フィルタと光触媒担持フィルタとが離間している場合よりも、捕集フィルタから紫外線をより効率良く光触媒担持フィルタに照射することができる。
【００１５】
また、前記捕集フィルタはプラスに帯電されていることが好ましい。
【００１６】
一般的に、塵埃、細菌やウィルスはマイナスに帯電している。従って、捕集フィルタがプラスに帯電されていることで、捕集フィルタでより効率良く塵埃、細菌やウィルスを捕集することができる。また、部材に紫外線が照射される場合、当該部材を構成する原子や分子の電子が紫外線によりはじき出される傾向にある。従って、マイナスに帯電した塵埃、細菌やウィルス等から電子を受け取り捕集フィルタのプラスの帯電が弱まる場合であっても、捕集フィルタへの紫外線の照射により、捕集フィルタのプラスの帯電をより長期間持続させることができる。
【００１７】
また、上記の空気清浄装置において、前記光触媒担持フィルタの前記第１波長の紫外線が照射される側と反対側に前記第１波長と異なる第２波長の紫外線を照射する第２紫外線発光体を更に備え、前記光触媒担持フィルタは、前記第１波長の紫外線が照射される側に前記第１波長の紫外線により光触媒能を発揮する光触媒を担持し、前記第２波長の紫外線が照射される側に前記第２波長の紫外線の照射により光触媒能を発揮する光触媒を担持することが好ましい。
【００１８】
このような空気清浄装置によれば、光触媒担持フィルタの両面から紫外線を照射することができる。従って、光触媒担持フィルタの第１波長の紫外線が照射される側及び第２波長の紫外線が照射される側のそれぞれにおいて、光触媒が高い光触媒能を発揮することができる。また、光触媒担持フィルタに異なる波長の紫外線が照射されることで、第１波長の紫外線と当該第１波長の紫外線が照射される側に担持される光触媒との組み合わせ、及び、第２波長の紫外線と当該第２波長の紫外線が照射される側に担持される光触媒との組み合わせをそれぞれ個別に選定することができる。このため設計の自由度を向上させることができる。なお、光触媒担持フィルタの第１波長の紫外線が照射される側に担持される光触媒と、光触媒担持フィルタの第２波長の紫外線が照射される側に担持される光触媒とが同一の光触媒であっても良い。この場合、当該光触媒は、第１波長の紫外線及び第２波長の紫外線のどちらの紫外線によっても光触媒能を発揮するものとされる。
【００１９】
また、第２波長の紫外線が照射される側に担持される光触媒が第１波長の紫外線の照射によっても光触媒能を発揮し、第１波長の紫外線が第２波長の紫外線が照射される側まで伝搬することとしても良い。この場合には、第２波長の紫外線が照射される側に担持される光触媒の光触媒能を第１波長の紫外線によっても高めることができる。また、第１波長の紫外線が照射される側に担持される光触媒が第２波長の紫外線の照射によっても光触媒能を発揮し、第２波長の紫外線が第１波長の紫外線が照射される側まで伝搬することとしても良い。この場合には、第１波長の紫外線が照射される側に担持される光触媒の光触媒能を第２波長の紫外線によっても高めることができる。これらの場合には第１波長の紫外線や第２波長の紫外線をより有効的に用いることができる。従って、光触媒担持フィルタで捕集された細菌やウィルスをより高い確率で不活化することができる。
【００２０】
また、第２波長の紫外線が光触媒担持フィルタを透過することとしても良い。この場合、捕集フィルタに第２波長の紫外線を照射し得る。従って、この場合、捕集フィルタにおける細菌やウィルスの不活化能をより高めることができる。
【００２１】
また、前記第１波長及び前記第２波長における一方の波長が２５０ｎｍから２８０ｎｍとされ、他方の波長が３６０ｎｍから３８０ｎｍとされることが好ましい。
【００２２】
波長３６０ｎｍから３８０ｎｍの紫外線を出射する紫外線発光体は、２５０ｎｍから２８０ｎｍの紫外線を出射する紫外線発光体よりも高い強度の紫外線を出射できる傾向にある。この傾向は特に紫外線発光体をＬＥＤ（light emitting diode）により構成する場合に大きい。従って、紫外線発光体から高い強度で出射できる波長３６０ｎｍから３８０ｎｍの紫外線が光触媒担持フィルタに照射されることで、光触媒に高い光触媒能を発揮させることができる。一方、波長２５０ｎｍから２８０ｎｍの紫外線は、波長３６０ｎｍから３８０ｎｍの紫外線よりも細菌やウィルスを不活化する能力が高い。このように、高い光触媒能を発揮させる紫外線と不活化する能力の高い紫外線との組み合わせにより、全体として効率良く細菌やウィルスを不活化することができる。
【００２３】
さらに、前記第１波長が２５０ｎｍから２８０ｎｍとされ、前記第２波長が３６０ｎｍから３８０ｎｍとされることが好ましい。
【００２４】
第１波長の紫外線は、捕集フィルタに照射される紫外線である。上記のように波長２５０ｎｍから２８０ｎｍの紫外線は細菌やウィルスを不活化する能力が高いため、第１波長が３６０ｎｍから３８０ｎｍとされる場合よりも、捕集フィルタに捕集される塵埃に付着する細菌やウィルスをより不活化することができる。
【００２５】
さらにこの場合、光触媒担持フィルタは、前記第１波長の紫外線が照射される側にアパタイトを含有する光触媒を担持し、前記第２波長の紫外線が照射される側に酸化チタンを含有する光触媒を担持することが好ましい。
【００２６】
上記のように、波長３６０ｎｍから３８０ｎｍの紫外線を出射する紫外線発光体は、２５０ｎｍから２８０ｎｍの紫外線を出射する紫外線発光体よりも強度の高い紫外線を出射できる傾向にある。このため、波長が２５０ｎｍから２８０ｎｍである比較的強度の弱い第１波長の紫外線が照射される側に細菌やウィルスの吸着力及び不活化する能力が高いアパタイトを含有する光触媒を担持させることで、光触媒担持フィルタにおける第１波長の紫外線が照射される側において、細菌やウィルスをより不活化することができる。また、波長が３６０ｎｍから３８０ｎｍである比較的強度の強い第２波長の紫外線が照射される側では、酸化チタンを含有する光触媒が担持されるため、酸化チタンの酸化能により、細菌やウィルスをより不活化することができる。なお、アパタイトを含有する光触媒としては、例えば、チタンアパタイトを挙げることができ、酸化チタンを含有する光触媒としては、例えば、酸化チタンそのものを挙げることができる。
【００２７】
また、空気が前記光触媒担持フィルタ側から前記捕集フィルタ側に流れることが好ましい。
【００２８】
一般的に、捕集フィルタに形成される微細孔は光触媒担持フィルタに形成される微細孔よりも小さくできる傾向にある。従って、光触媒担持フィルタを通りぬけてしまう細菌、ウィルスであっても、捕集フィルタで捕集し得る。従って、空気が捕集フィルタ側から光触媒担持フィルタ側に流れる場合と比べて、捕集フィルタと光触媒担持フィルタとで細菌やウィルスを分散して捕集することができる。このため、捕集フィルタに細菌やウィルスが偏って捕集される場合よりも、捕集フィルタと光触媒担持フィルタとのそれぞれにおいて細菌やウィルスを効率良く不活化し得る。
【発明の効果】
【００２９】
以上のように、本発明によれば、捕集フィルタ及び光触媒担持フィルタに捕集された細菌やウィルスを不活化し、当該紫外線を効率よく用いることができる空気清浄装置が提供される。
【図面の簡単な説明】
【００３０】
【図１】本発明の第１実施形態に係る空気清浄装置を示す断面図である。
【図２】本発明の第２実施形態に係る空気清浄装置を示す断面図である。
【発明を実施するための形態】
【００３１】
以下、本発明に係る空気清浄装置の好適な実施形態について図面を参照しながら詳細に説明する。
【００３２】
（第１実施形態）
図１は、本実施形態に係る空気清浄装置を示す断面図である。図１に示すように、本実施形態の空気清浄装置１は、ケーシング１０と、吸い込み側粗フィルタ２１と、吐き出し側粗フィルタ２２と、送風ファン３０と、光遮蔽部材４０と、フィルタユニット５０と、第１紫外線発光体６０Ａと、を主な構成として備える。
【００３３】
ケーシング１０は、本例では、概ね筒状の形状をしている。なお、ケーシング１０の内壁面には後述のように第１波長の紫外線ＵＶ１が照射される場合がある。従って、ケーシング１０の内壁面は第１波長の紫外線ＵＶ１を反射する光反射性とされることが好ましい。
【００３４】
このケーシング１０の一方の開口は空気の吸い込み口とされ、この空気の吸い込み口に吸い込み側粗フィルタ２１が配置されている。また、ケーシング１０の他方の開口は空気の吐き出し口とされ、この吐き出し口には吐き出し側粗フィルタ２２が配置されている。吸い込み側粗フィルタ２１、吐き出し側粗フィルタ２２は、例えば、視認可能な大きさの塵埃の少なくとも一部を捕集可能で、視認困難な大きさの塵埃を通過させる程度の孔が多数形成された粗塵用フィルタとされる。従って、空気抵抗が小さく、空気の吸い込み口、吐き出し口での圧力損失が抑制されている。この様な粗フィルタとしては、例えば、樹脂等から成るネット状のフィルタやスポンジ状のフィルタを挙げることができる。
【００３５】
送風ファン３０は、不図示の電源から電力の供給を受けており、吸い込み口側から吐き出し口側に空気が流れるように回転をする。図１では、送風ファン３０を構成するファンとしてプロペラファンが記載されているが、送風ファン３０は、プロペラファンに限定されずシロッコファン等の他のファンから構成されても良い。
【００３６】
空気の流れにおける送風ファン３０よりも下流側には、光遮蔽部材４０が配置されている。光遮蔽部材４０は、光を遮蔽するものの空気の通過を妨げないよう構成される。この様な光遮蔽部材４０としては、例えば、多数の開口が形成された一組のパンチングメタル板が孔の位置をずらし所定の間隔をあけて重ねられた部材や、複数のスラットが並列状に配置されたブラインド状の部材を挙げることができる。なお、光遮蔽部材４０には後述のように第１波長の紫外線ＵＶ１が照射される場合がある。このため、光遮蔽部材４０を構成する材料の劣化が生じないように、光遮蔽部材４０は金属で構成されることが好ましく、当該紫外線が照射される側が第１波長の紫外線ＵＶ１を反射する光反射性とされることが好ましい。
【００３７】
空気の流れにおける光遮蔽部材４０よりも下流側には、フィルタユニット５０が配置されている。フィルタユニット５０は、光触媒担持フィルタ５１と捕集フィルタ５２とを有し、光触媒担持フィルタ５１は捕集フィルタ５２よりも空気の流れの上流側に配置されている。光触媒担持フィルタ５１は吸い込み側粗フィルタ２１を通過する粒子を捕集可能なフィルタとされ、捕集フィルタ５２は、光触媒担持フィルタ５１を通過する粒子を捕集可能なフィルタとされる。例えば、光触媒担持フィルタ５１は、０．４μｍの粒子の捕集率が９９％未満とされる中高性能フィルタとされ、捕集フィルタ５２は、０．３μｍの粒子の捕集率が９０％以上とされる準ＨＥＰＡフィルタとされる。
【００３８】
また、光触媒担持フィルタ５１は、第１波長の紫外線ＵＶ１により光触媒能を発揮する光触媒が担持されたフィルタである。本実施形態では、第１波長は２５０ｎｍから３８０ｎｍとされる。なお、本実施形態において単に紫外線という場合、この第１波長の紫外線ＵＶ１を意味する。この第１波長の紫外線ＵＶ１により光触媒能を発揮する光触媒としては、アパタイトを含有する光触媒や、酸化チタンを含有する光触媒を挙げることができる。アパタイトを含有する光触媒としては、カルシウムヒドロキシアパタイト等のアパタイト結晶中にチタンイオンが導入されたチタンアパタイトを挙げることができる。チタンアパタイトは、細菌やウィルスの吸着性、不活化能に優れるため好ましい。また、酸化チタンを含有する光触媒としては、酸化チタンそのものを挙げることができる。酸化チタンは、チタンアパタイト程の優れた吸着性を有していないが、吸着した細菌やウィルスを酸化して不活化する能力に長けている。また、アパタイトを含有する光触媒及び酸化チタンを含有する光触媒の両方に該当する例としては、酸化チタンとアパタイトとのハイブリッド型光触媒を挙げることができる。この光触媒は、酸化チタン粒子に複数のアパタイト微粒子が固定されているものであり、アパタイトの細菌やウィルスの優れた吸着性と酸化チタンの細菌やウィルスの不活化能を併せ持つ。この酸化チタン粒子にはハイドロキシアパタイトやフッ化アパタイトが固定されても良い。また、その他の光触媒として、酸化タングステン、酸化亜鉛等を挙げることができるが、細菌やウィルスの不活化により優れる観点からアパタイトを含有する光触媒や、酸化チタンを含有する光触媒の少なくとも一方が担持されることが好ましい。
【００３９】
このような光触媒担持フィルタ５１に用いられるフィルタとして、不織布の繊維の表面に光触媒が担持されてなるフィルタを挙げることができる。不織布に粒子状の光触媒を担持させるには、光触媒が分散された未硬化状態のバインダを不織布に含浸させた後に、当該バインダを固化させることで、不織布の表面に光触媒を固定させれば良い。この場合、バインダは無機系でも有機系でも良く、無機系のバインダとしてはシラン化合物等を挙げることができ、有機系のバインダとしてはアクリル系を挙げることができる。なお、無機系のバインダは、光触媒による酸化能等により分解されることが有機系のバインダよりも抑制されるため好ましい。また、不織布に粒子状の光触媒を担持させるには、粒子状の光触媒を分散させた樹脂を紡糸して、光触媒が分散した樹脂製の繊維で不織布を形成しても良い。
【００４０】
或いは、光触媒担持フィルタ５１に用いられるフィルタとして、例えば、ハニカム状に多数の空間を仕切る壁部材を有し、当該壁部材で仕切られた各空間内に多数の光触媒の粒子が封じ込められてなるフィルタを挙げることができる。この場合、光触媒の粒子は、バインダにより顆粒化されていることが空気を流れやすくする観点から好ましく、当該顆粒に活性炭やゼオライト等の吸着性の粒子を含むことが脱臭能を向上させる観点からより好ましい。また、このバインダとして、上記有機系のバインダと無機系のバインダとを挙げることができ、上記と同様の理由から無機系のバインダが用いられることが好ましい。
【００４１】
また、捕集フィルタ５２は、第１波長の紫外線ＵＶ１を透過するフィルタである。上記のように、本実施形態では、第１波長は２５０ｎｍから３８０ｎｍとされ、捕集フィルタ５２はこの第１波長の紫外線ＵＶ１を透過する材料から構成される。具体的には、捕集フィルタ５２は、第１波長の紫外線ＵＶ１を透過する樹脂繊維から成る不織布とされる。この様な樹脂としては、ポリテトラフルオロエチレンやパーフルオロアルコキシアルカン等のフッ素系樹脂、ポリプロピレン、ポリエチレン等を挙げることができる。なお、ポリプロピレン、ポリエチレンは、フッ素系樹脂よりも細菌やウィルス等の吸着性に優れるため好ましい。また、捕集フィルタ５２は、フィルタを構成する樹脂で第１波長の紫外線ＵＶ１を透過させると共に、フィルタに形成される微細孔からも第１波長の紫外線ＵＶ１を透過させることが好ましい。
【００４２】
さらに、本実施形態では捕集フィルタ５２は、プラスに帯電されている。細菌やウィルス、或いは、花粉等の塵埃はマイナスに帯電していることが多い。このため、捕集フィルタ５２がプラスに帯電されていることで、帯電されていない場合と比べて、塵埃、細菌及びウィルスの捕集率を向上させることができる。捕集フィルタ５２をプラスに帯電させるには、例えば、捕集フィルタ５２を構成する樹脂繊維から成る不織布に対して、５ｋＶから３０ｋＶといった高電圧を所定時間印加すれば良い。
【００４３】
また、本実施形態では、捕集フィルタ５２は光触媒担持フィルタ５１に接して重ねられている。ところで、光透過性の部材から光が出射する場合において、この部材に接している媒体が空気である場合、空気の屈折率が低いため、光は当該部材から空気中に伝搬しづらい。一方、光透過性の部材が他の部材に接している場合、他の部材の屈折率は空気の屈折率よりも高いため、光透過性の部材が空気に接している場合よりも、光透過性の部材から他の部材に光が伝搬し易い。このため、捕集フィルタ５２を構成する第１波長の紫外線ＵＶ１を透過する樹脂が光触媒担持フィルタ５１に接している部位では、捕集フィルタ５２が光触媒担持フィルタ５１に接していない部位よりも第１波長の紫外線ＵＶ１が捕集フィルタ５２から光触媒担持フィルタ５１に伝搬し易い。従って、第１波長の紫外線ＵＶ１が捕集フィルタ５２に照射される場合、捕集フィルタ５２が光触媒担持フィルタ５１に接していない場合よりも、第１波長の紫外線ＵＶ１を捕集フィルタ５２に効率良く伝搬することができる。
【００４４】
なお、フィルタユニット５０において光触媒担持フィルタ５１と捕集フィルタ５２とは互いに一体とされ、ケーシング１０から光触媒担持フィルタ５１と捕集フィルタ５２が同時に着脱されることが、フィルタ交換を容易に出来る観点から好ましい。
【００４５】
第１紫外線発光体６０Ａは、上記の通り波長が２５０ｎｍから３８０ｎｍである第１波長の紫外線ＵＶ１を出射する発光体である。この第１紫外線発光体６０Ａは、捕集フィルタ５２に向けて第１波長の紫外線ＵＶ１を照射する。第１紫外線発光体６０Ａは、例えば、ＬＥＤやブラックライト等の発光体から構成される。なお、ＬＥＤは、光の出射方向に指向性があるため、無駄な方向に光を照射せずに効率的に捕集フィルタ５２に第１波長の紫外線ＵＶ１を照射できる観点から好ましい。
【００４６】
また、第１波長が２５０ｎｍから２８０ｎｍであれば、ＤＮＡ（deoxyribonucleic acid）やＲＮＡ（ribonucleic acid）により吸収され易く、細菌やウィルスの不活化能に優れる観点から好ましい。一方、第１波長が３５０ｎｍから３８０ｎｍであれば、第１紫外線発光体６０Ａから強度のより高い紫外線を出射することができる傾向にあり、強度のより高い紫外線を光触媒まで伝搬して、光触媒により高い光触媒能を発揮させ得るため好ましい。なお、この傾向は、第１紫外線発光体６０ＡとしてＬＥＤが用いられる場合により高い。
【００４７】
次に上記構成の空気清浄装置１の動作について説明する。
【００４８】
不図示の電源スイッチがオンとされると、不図示の電源から送風ファン３０及び第１紫外線発光体６０Ａに電力が供給される。電力が供給されると、送風ファン３０は回転を始め、第１紫外線発光体６０Ａは第１波長の紫外線ＵＶ１を捕集フィルタ５２に向けて出射する。
【００４９】
第１紫外線発光体６０Ａから出射され捕集フィルタ５２に照射された第１波長の紫外線ＵＶ１の少なくとも一部は、捕集フィルタ５２を透過して、光触媒担持フィルタ５１に照射される。上記のように光触媒担持フィルタ５１には、第１波長の紫外線ＵＶ１により光触媒能を発揮する光触媒が担持されているため、当該光触媒は第１波長の紫外線ＵＶ１の照射により光触媒能を発揮する。
【００５０】
なお、本実施形態では、上記のように捕集フィルタ５２が光透過性の材料から成るため、第１波長の紫外線ＵＶ１は捕集フィルタ５２を構成する樹脂を透過することで、捕集フィルタ５２を透過する。従って、本実施形態では、第１波長の紫外線ＵＶ１が捕集フィルタ５２を透過し易く、効率良く光触媒担持フィルタ５１に第１波長の紫外線ＵＶ１を照射することができる。また、捕集フィルタ５２の微細孔からも第１波長の紫外線ＵＶ１が透過できる場合には、第１波長の紫外線ＵＶ１がより効率よく捕集フィルタ５２を透過できるため好ましい。
【００５１】
また、捕集フィルタ５２の塵埃が付着した部分に照射された第１波長の紫外線ＵＶ１の透過が当該塵埃により抑制される場合がある。しかし本実施形態では、上記のように捕集フィルタ５２が光透過性の材料で成る不織布から構成されるため、捕集フィルタ５２は紫外線を散乱させることができる。従って、捕集フィルタ５２の塵埃が然程付着していない部分に照射された第１波長の紫外線ＵＶ１が透過の際に散乱することで、捕集フィルタ５２に付着した塵埃により第１波長の紫外線ＵＶ１が照射されづらい光触媒担持フィルタ５１の部位にも第１波長の紫外線ＵＶ１を照射することができる。従って、光触媒担持フィルタ５１における第１波長の紫外線ＵＶ１が照射されづらい部位を狭くすることができる。
【００５２】
また、本実施形態では、上記のように光透過性の材料から成る捕集フィルタ５２と光触媒担持フィルタ５１とが接して重ねられている。従って、捕集フィルタ５２と光触媒担持フィルタ５１とが接している部分において、捕集フィルタ５２から光触媒担持フィルタ５１に第１波長の紫外線ＵＶ１が効率良く伝搬される。このため、捕集フィルタ５２と光触媒担持フィルタ５１とが離間している場合よりも、第１波長の紫外線ＵＶ１を効率良く光触媒担持フィルタ５１に照射することができる。
【００５３】
また、上記のようにケーシング１０の内壁面が第１波長の紫外線ＵＶ１を反射する場合には、何らかの原因により、第１波長の紫外線ＵＶ１がケーシング１０に伝搬する場合であっても、ケーシング１０の内壁面で反射して、反射した第１波長の紫外線ＵＶ１の少なくとも一部が捕集フィルタ５２に入射する。このため、第１波長の紫外線ＵＶ１を効率良く用いることができる。
【００５４】
また、捕集フィルタ５２に伝搬した第１波長の紫外線ＵＶ１の一部が光触媒担持フィルタ５１をも透過する場合がある。この場合、上記のように光遮蔽部材４０の紫外線が照射される側が第１波長の紫外線ＵＶ１を反射する構成とされれば、反射した第１波長の紫外線ＵＶ１を再び光触媒担持フィルタ５１に入射させることができる。このため、第１波長の紫外線ＵＶ１を効率良く用いることができる。
【００５５】
以上のように第１紫外線発光体６０Ａが発光して、第１波長の紫外線ＵＶ１が光触媒担持フィルタ５１に照射されている状態で、送風ファン３０の回転により、ケーシング１０の吸い込み口に配置された吸い込み側粗フィルタ２１を介して空気がケーシング１０内に流入する。ケーシング１０に流入した空気は、光遮蔽部材４０を通過して、フィルタユニット５０に流入する。
【００５６】
フィルタユニット５０では、上記のように空気の流れの上流側に光触媒担持フィルタ５１が配置されているため、空気は光触媒担持フィルタ５１に流入する。光触媒担持フィルタ５１では、空気中を浮遊する塵埃、細菌やウィルスの少なくとも一部が捕集される。また、光触媒担持フィルタ５１を通過した空気は捕集フィルタ５２に流入する。捕集フィルタ５２では、光触媒担持フィルタ５１で捕集されず光触媒担持フィルタ５１を通過した塵埃、細菌やウィルスの少なくとも一部が捕集される。
【００５７】
このとき、本実施形態では、上記のように捕集フィルタ５２がプラスに帯電されているため、塵埃、細菌やウィルスが高い捕集率で捕集される。
【００５８】
上記のように、捕集フィルタ５２には第１波長の紫外線ＵＶ１が照射されるため、当該紫外線により捕集フィルタ５２に捕集された細菌やウィルスは不活化される。このとき、上記のように第１波長が２５０ｎｍから２８０ｎｍであれば、細菌やウィルスを不活化する能力が高いため好ましい。
【００５９】
また、捕集フィルタ５２を透過した第１波長の紫外線ＵＶ１により、光触媒担持フィルタ５１に捕集された細菌やウィルスは、光触媒の光触媒能により酸化されて不活化される。また、光触媒担持フィルタ５１に捕集された塵埃が異臭の原因となる場合であっても、光触媒の光触媒能により異臭の原因物質を分解して、異臭を抑制することができる。
【００６０】
以上説明したように本実施形態の空気清浄装置１は、塵埃を捕集する捕集フィルタ５２と、捕集フィルタ５２に第１波長の紫外線ＵＶ１を照射する第１紫外線発光体６０Ａと、第１波長の紫外線ＵＶ１により光触媒能を発揮する光触媒が担持され塵埃を捕集する光触媒担持フィルタ５１とを備える。そして、捕集フィルタ５２は第１波長の紫外線ＵＶ１を透過し、捕集フィルタ５２を透過する第１波長の紫外線ＵＶ１は光触媒担持フィルタ５１に照射される。
【００６１】
このような空気清浄装置１によれば、光触媒担持フィルタ５１及び捕集フィルタ５２で塵埃を捕集することができる。この捕集した塵埃に細菌やウィルスが付着している場合や細菌やウィルスが直接捕集されるであっても、捕集フィルタ５２及び光触媒担持フィルタ５１には、第１紫外線発光体６０Ａから出射する第１波長の紫外線ＵＶ１が照射されるため、細菌やウィルスを不活化することができる。しかも、光触媒担持フィルタ５１に照射される第１波長の紫外線ＵＶ１は、捕集フィルタ５２を透過した紫外線である。従って、本発明の空気清浄装置１によれば、第１紫外線発光体６０Ａから出射する紫外線を効率良く用いることができる。
【００６２】
また、本実施形態では、プラスに帯電された捕集フィルタ５２に紫外線が照射されている。このように捕集フィルタ５２に紫外線が照射されることで、捕集フィルタ５２を構成する原子や分子の電子をはじき出すことができる。従って、マイナスに帯電した塵埃、細菌やウィルス等から電子を受け取り捕集フィルタ５２のプラスの帯電が弱まる場合であっても、捕集フィルタ５２への紫外線の照射により、捕集フィルタ５２のプラスの帯電をより長期間持続させることができる。
【００６３】
（第２実施形態）
次に、本発明の第２実施形態について図２を参照して詳細に説明する。なお、第１実施形態と同一又は同等の構成要素については、特に説明する場合を除き、同一の参照符号を付して重複する説明は省略する。
【００６４】
図２は本実施形態に係る空気清浄装置を示す断面図である。図２に示すように、本実施形態の空気清浄装置２は、光遮蔽部材４０を備えず、中間粗フィルタ２３と、第２紫外線発光体６０Ｂとを更に備え、光触媒担持フィルタ５１が第１光触媒担持フィルタ５１Ａと第２光触媒担持フィルタ５１Ｂとから成る点において、第１実施形態の空気清浄装置１と異なる。
【００６５】
中間粗フィルタ２３は、送風ファン３０とフィルタユニット５０との間に配置される。中間粗フィルタ２３は、吸い込み側粗フィルタ２１と同様に視認可能な大きさの塵埃の少なくとも一部を捕集可能で、視認困難な大きさの塵埃を通過させる程度の孔が多数形成された粗塵用フィルタとされる。なお、中間粗フィルタ２３は、吸い込み側粗フィルタ２１と同程度の粒子の捕集力とされても良いが、吸い込み側粗フィルタ２１に形成される孔よりも小さな孔が形成され、吸い込み側粗フィルタ２１を通過する視認可能な塵埃を捕集可能な粗塵用フィルタとされることが好ましい。
【００６６】
また、第２紫外線発光体６０Ｂは、第１波長とは異なる第２波長の紫外線ＵＶ２をフィルタユニット５０に向けて第１紫外線発光体６０Ａと反対側から照射する発光体である。本実施形態では、第１波長及び第２波長は共に２５０ｎｍから３８０ｎｍの範囲に入っており、例えば、第１波長が２５０ｎｍから２８０ｎｍとされ第２波長が３６０ｎｍから３８０ｎｍとされる。
【００６７】
光触媒担持フィルタ５１を構成する第１光触媒担持フィルタ５１Ａは捕集フィルタ５２側に配置され、第２光触媒担持フィルタ５１Ｂは捕集フィルタ５２側と反対側に配置され、互いに接して重ねられている。従って、第１光触媒担持フィルタ５１Ａには捕集フィルタ５２を透過する第１波長の紫外線ＵＶ１が照射され、第２光触媒担持フィルタ５１Ｂには第２紫外線発光体６０Ｂから出射する第２波長の紫外線ＵＶ２が照射される。
【００６８】
このため、第１光触媒担持フィルタ５１Ａには、第１波長の紫外線ＵＶ１により光触媒能を発揮する光触媒が担持され、第２光触媒担持フィルタ５１Ｂには、第２波長の紫外線ＵＶ２により光触媒能を発揮する光触媒が担持されている。例えば、上記のように第１波長が２５０ｎｍから２８０ｎｍとされ第２波長が３６０ｎｍから３８０ｎｍとされる場合、第１光触媒担持フィルタ５１Ａにはアパタイトを含有する光触媒が担持され、第２光触媒担持フィルタ５１Ｂには酸化チタンを含有する光触媒が担持される。このように比較的強度の弱い波長が２５０ｎｍから２８０ｎｍである第１波長の紫外線ＵＶ１が照射される側に細菌やウィルスの吸着力及び不活化する能力が高いアパタイトを含有する光触媒が担持されることで、光触媒担持フィルタにおける第１波長の紫外線ＵＶ１が照射される側において、細菌やウィルスをより不活化することができるため好ましい。
【００６９】
なお、第１光触媒担持フィルタ５１Ａに担持される光触媒と第２光触媒担持フィルタ５１Ｂに担持される光触媒とが同じ種類の光触媒であってもよい。この場合、この光触媒は、第１波長の紫外線ＵＶ１及び第２波長の紫外線ＵＶ２のどちらの紫外線が照射される場合にも光触媒能を発揮するものとされる。例えば、上記のように第１波長が２５０ｎｍから２８０ｎｍとされ第２波長が３６０ｎｍから３８０ｎｍとされる場合、第１光触媒担持フィルタ５１Ａ及び第２光触媒担持フィルタ５１Ｂのそれぞれに担持される光触媒として、例えば酸化チタンを挙げることができる。
【００７０】
このような空気清浄装置２では、不図示のスイッチがオンとされると、第１実施形態の空気清浄装置１と同様に、送風ファン３０の回転により吸い込み口側から吐き出し口側に向けて空気が流れると共に、第１紫外線発光体６０Ａから第１波長の紫外線ＵＶ１が出射する。従って、第１実施形態の空気清浄装置１と同様に捕集フィルタ５２を透過して第１光触媒担持フィルタ５１Ａに照射される第１波長の紫外線ＵＶ１により、第１光触媒担持フィルタ５１Ａに担持される光触媒は光触媒能を発揮する。さらに本実施形態の空気清浄装置２では、上記のスイッチのオンにより、第２紫外線発光体６０Ｂから第２波長の紫外線ＵＶ２が出射する。このため、第２光触媒担持フィルタ５１Ｂに照射される第２波長の紫外線ＵＶ２により、第２光触媒担持フィルタ５１Ｂに担持される光触媒も光触媒能を発揮する。
【００７１】
また、本実施形態においても、第１実施形態と同様にして、送風ファン３０の回転による空気の流れで、光触媒担持フィルタ５１及び捕集フィルタ５２で塵埃、細菌やウィルスの少なくとも一部が捕集される。そして、第１実施形態の空気清浄装置１と同様にして捕集フィルタ５２に捕集された細菌やウィルスは不活化される。なお、第１波長が２５０ｎｍから２８０ｎｍであれば、細菌やウィルスを不活化する能力が高いため好ましい。また、光触媒担持フィルタ５１のうち第１光触媒担持フィルタ５１Ａに捕集された細菌やウィルスは、第１波長の紫外線ＵＶ１により光触媒能を発揮する光触媒によって酸化されて不活化される。さらに、光触媒担持フィルタ５１のうち第２光触媒担持フィルタ５１Ｂに捕集された細菌やウィルスは、第２波長の紫外線ＵＶ２により光触媒能を発揮する光触媒によって酸化されて不活化される。
【００７２】
以上説明したように、本実施形態の空気清浄装置２は、第１実施形態の空気清浄装置１に対して更に、光触媒担持フィルタ５１の第１波長の紫外線ＵＶ１が照射される側と反対側に第１波長と異なる第２波長の紫外線ＵＶ２を照射する第２紫外線発光体６０Ｂを備える。そして、光触媒担持フィルタ５１は第２波長の紫外線ＵＶ２が照射される側に第２波長の紫外線ＵＶ２の照射により光触媒能を発揮する光触媒を担持する。
【００７３】
このように光触媒担持フィルタ５１の両面から紫外線を照射するため、光触媒担持フィルタ５１の第１波長の紫外線ＵＶ１が照射される側及び第２波長の紫外線ＵＶ２が照射される側のそれぞれにおいて、光触媒が高い光触媒能を発揮することができる。従って、光触媒担持フィルタ５１で捕集された細菌やウィルスをより高い確率で不活化することができる。また、光触媒担持フィルタ５１に異なる波長の紫外線が照射されることで、第１波長の紫外線ＵＶ１と第１光触媒担持フィルタ５１Ａに担持される光触媒との組み合わせ、及び、第２波長の紫外線ＵＶ２と第２光触媒担持フィルタ５１Ｂに担持される光触媒との組み合わせをそれぞれ個別に選定することができる。従って、本実施形態の空気清浄装置２によれば、設計の自由度を向上させることができる。
【００７４】
なお、本実施形態において、第２光触媒担持フィルタ５１Ｂに担持される光触媒が第１波長の紫外線ＵＶ１の照射によっても光触媒能を発揮し、第１波長の紫外線ＵＶ１が第２光触媒担持フィルタ５１Ｂまで伝搬することとしても良い。この場合には、第２光触媒担持フィルタ５１Ｂに担持される光触媒の光触媒能を第１波長の紫外線ＵＶ１によっても高めることができる。また、第１光触媒担持フィルタ５１Ａに担持される光触媒が第２波長の紫外線ＵＶ２の照射によっても光触媒能を発揮し、第１波長の紫外線ＵＶ１が第２光触媒担持フィルタ５１Ｂまで伝搬することとしても良い。この場合には、第１光触媒担持フィルタ５１Ａに担持される光触媒の光触媒能を第２波長の紫外線ＵＶ２によっても高めることができる。従って、これらの場合には第１波長の紫外線ＵＶ１や第２波長の紫外線ＵＶ２をより有効的に用いることができ、光触媒担持フィルタ５１で捕集された細菌やウィルスをより高い確率で不活化することができる。これらの場合に、第１光触媒担持フィルタ５１Ａに担持される光触媒と第２光触媒担持フィルタ５１Ｂに担持される光触媒とが同一の種類であっても異なる種類であっても良い。
【００７５】
また、本実施形態において、第２波長の紫外線ＵＶ２が光触媒担持フィルタ５１を透過することとしても良い。この場合、捕集フィルタ５２に第２波長の紫外線ＵＶ２を照射し得る。この場合、捕集フィルタ５２における細菌やウィルスの不活化能をより高めることができる。
【００７６】
また、第１実施形態において説明したように、波長３６０ｎｍから３８０ｎｍの紫外線を出射する紫外線発光体は、２５０ｎｍから２８０ｎｍの紫外線を出射する紫外線発光体よりも高い強度の紫外線を出射できる傾向にある。従って、紫外線発光体から高い強度で出射できる波長３６０ｎｍから３８０ｎｍの紫外線が光触媒担持フィルタ５１に照射されることで、光触媒に高い光触媒能を発揮させることができる。また、第１実施形態において説明したように、波長２５０ｎｍから２８０ｎｍの紫外線は、波長３６０ｎｍから３８０ｎｍの紫外線よりも細菌やウィルスを不活化する能力が高い。従って、本実施形態の空気清浄装置２において、第１波長及び第２波長における一方の波長が２５０ｎｍから２８０ｎｍとされ他方の波長が３６０ｎｍから３８０ｎｍとされれば、高い光触媒能を発揮させる紫外線と不活化する能力の高い紫外線との組み合わせにより、全体として効率良く細菌やウィルスを不活化することができる。
【００７７】
そして、第１波長が２５０ｎｍから２８０ｎｍとされ、第２波長が３６０ｎｍから３８０ｎｍとされれば、捕集フィルタ５２に捕集される塵埃に付着する細菌やウィルスをより不活化することができる。
【００７８】
以上、本発明について、第１、第２実施形態を例に説明したが、本発明はこれらに限定されるものではない。
【００７９】
例えば、上記実施形態と異なり捕集フィルタ５２が紙フィルタといった第１波長の紫外線ＵＶ１を透過させづらい材料から形成されるフィルタであってもよい。この場合、捕集フィルタ５２は、自身が有する微細孔から第１波長の紫外線ＵＶ１を透過するよう構成されることが好ましいが、例えば、捕集フィルタ５２の一部に第１波長の紫外線ＵＶ１を透過するフィルム付きのウィンドウが設けられてもよい。また、捕集フィルタ５２は、不織布で形成されずに規則正しく繊維が織り込まれた布地等から形成されてもよい。また、捕集フィルタ５２は帯電されていなくてもよい。
【００８０】
また、上記実施形態と異なり、光触媒担持フィルタ５１の捕集力と捕集フィルタ５２の捕集力とが同程度であってもよい。また、光触媒担持フィルタ５１が捕集フィルタ５２よりも高い捕集力を有していてもよい。但し、光触媒担持フィルタ５１が捕集フィルタ５２よりも高い捕集力を有する場合には、上記実施形態と異なり、空気の流れが逆方向であることが好ましい。
【００８１】
また、埃検知センサを搭載していれば、フィルタユニット５０の交換時期が分かるため好ましい。また、捕集フィルタ５２と光触媒担持フィルタ５１との間に第１波長の紫外線ＵＶ１を検知する紫外線検知センサが搭載されていれば、捕集フィルタ５２に塵埃がたまり第１波長の紫外線ＵＶ１が透過しづらくなったことを検知することができ、フィルタユニット５０の交換時期が分かるため好ましい。
【００８２】
また、上記実施形態では、光触媒担持フィルタ５１と捕集フィルタ５２とが接して重ねられていたが、光触媒担持フィルタ５１と捕集フィルタ５２とは離間していてもよい。また、第２実施形態における第１光触媒担持フィルタ５１Ａと第２光触媒担持フィルタ５１Ｂとが離間して重ねられてもよい。また、フィルタユニット５０において、光触媒担持フィルタ５１と捕集フィルタ５２とが個別に取り外せてもよく、第１光触媒担持フィルタ５１Ａと第２光触媒担持フィルタ５１Ｂとが個別に取り外せてもよい。
【産業上の利用可能性】
【００８３】
以上説明したように、本発明によれば、フィルタ及び光触媒担持フィルタに捕集された細菌やウィルスを不活化し、当該紫外線を効率よく用いることができる空気清浄装置が提供され、家庭用の空気清浄装置や工場等の大規模空気清浄装置等の分野で利用できる。
【符号の説明】
【００８４】
１，２・・・空気清浄装置
１０・・・ケーシング
３０・・・送風ファン
４０・・・光遮蔽部材
５０・・・フィルタユニット
５１・・・光触媒担持フィルタ
５１Ａ・・・第１光触媒担持フィルタ
５１Ｂ・・・第２光触媒担持フィルタ
５２・・・捕集フィルタ
６０Ａ・・・第１紫外線発光体
６０Ｂ・・・第２紫外線発光体
ＵＶ１・・・第１波長の紫外線
ＵＶ２・・・第２波長の紫外線
【図１】
2018143660.tif 000003
【図２】
2018143660.tif 000004
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
塵埃を捕集する捕集フィルタと、
前記捕集フィルタに第１波長の紫外線を照射する第１紫外線発光体と、
前記第１波長の紫外線により光触媒能を発揮する光触媒が担持され塵埃を捕集する光触媒担持フィルタと、
を備え、
前記捕集フィルタは前記第１波長の紫外線を透過し、
前記捕集フィルタを透過する前記第１波長の紫外線は前記光触媒担持フィルタに照射され、
前記捕集フィルタはプラスに帯電されている
ことを特徴とする空気清浄装置。
【請求項２】
前記捕集フィルタは光透過性の材料から成る
ことを特徴とする請求項１に記載の空気清浄装置。
【請求項３】
前記捕集フィルタは不織布から成る
ことを特徴とする請求項２に記載の空気清浄装置。
【請求項４】
前記捕集フィルタと前記光触媒担持フィルタとが接して重ねられる
ことを特徴とする請求項２または３に記載の空気清浄装置。
【請求項５】
前記光触媒担持フィルタの前記第１波長の紫外線が照射される側と反対側に前記第１波長と異なる第２波長の紫外線を照射する第２紫外線発光体を更に備え、
前記光触媒担持フィルタは、前記第１波長の紫外線が照射される側に前記第１波長の紫外線により光触媒能を発揮する光触媒を担持し、前記第２波長の紫外線が照射される側に前記第２波長の紫外線により光触媒能を発揮する光触媒を担持する
ことを特徴とする請求項１から４のいずれか１項に記載の空気清浄装置。
【請求項６】
塵埃を捕集する捕集フィルタと、
前記捕集フィルタに第１波長の紫外線を照射する第１紫外線発光体と、
前記第１波長の紫外線により光触媒能を発揮する光触媒が担持され塵埃を捕集する光触媒担持フィルタと、
を備え、
前記捕集フィルタは前記第１波長の紫外線を透過し、
前記捕集フィルタを透過する前記第１波長の紫外線は前記光触媒担持フィルタに照射され、
前記光触媒担持フィルタの前記第１波長の紫外線が照射される側と反対側に前記第１波長と異なる第２波長の紫外線を照射する第２紫外線発光体を更に備え、
前記光触媒担持フィルタは、前記第１波長の紫外線が照射される側に前記第１波長の紫外線により光触媒能を発揮する光触媒を担持し、前記第２波長の紫外線が照射される側に前記第２波長の紫外線により光触媒能を発揮する光触媒を担持する
ことを特徴とする空気清浄装置。
【請求項７】
前記第１波長及び前記第２波長における一方の波長が２５０ｎｍから２８０ｎｍとされ、他方の波長が３６０ｎｍから３８０ｎｍとされる
ことを特徴とする請求項５または６に記載の空気清浄装置。
【請求項８】
前記第１波長が２５０ｎｍから２８０ｎｍとされ、前記第２波長が３６０ｎｍか
ら３８０ｎｍとされる
ことを特徴とする請求項７に記載の空気清浄装置。
【請求項９】
前記光触媒担持フィルタは、前記第１波長の紫外線が照射される側にアパタイトを含有する光触媒を担持し、前記第２波長の紫外線が照射される側に酸化チタンを含有する光触媒を担持する
ことを特徴とする請求項８に記載の空気清浄装置。
【請求項１０】
空気が前記光触媒担持フィルタ側から前記捕集フィルタ側に流れる
ことを特徴とする請求項１から９のいずれか１項に記載の空気清浄装置。